(57)【特許請求の範囲】
【請求項１】
第１の装置であって、
第１の同期メッセージを生成するように構成されたプロセッサと、
前記プロセッサに結合され、第１の波長において第２の装置に前記第１の同期メッセージを送信するように構成された送信機と、
前記プロセッサに結合され、第２の波長においておよび前記第１の同期メッセージに応答して前記第２の装置から第２の同期メッセージを受信するように構成された受信機と
を備え、
前記第１の波長および前記第２の波長は、前記第２の同期メッセージと前記第１の同期メッセージとの間のレイテンシ差の低減に基づいており、
前記プロセッサは、前記低減に基づいて前記第１の装置と前記第２の装置との間のタイミングオフセット（ＴＯ）を計算するようにさらに構成され、
前記第１の装置は、ベースバンドユニット（ＢＢＵ）であり、かつ、前記第２の装置は、遠隔無線ユニット（ＲＲＵ）であり、
前記ＢＢＵは以下のように前記ＴＯを計算し、
ＴＯ＝［（Ｔ1’−Ｔ1−Ｔ2＋Ｔ2’）−（ＴＤU−ＴＤD）］／２
Ｔ1’は、前記ＲＲＵが前記第１の同期メッセージを受信した時間であり、Ｔ1は、前記ＢＢＵが前記第１の同期メッセージを送信した時間であり、ＴＤDは、前記ＢＢＵから前記ＲＲＵに下流に進む前記第１の同期メッセージの時間遅延、またはレイテンシ遅延もしくは伝搬遅延であり、前記ＴＯは、前記ＢＢＵのクロックと前記ＲＲＵのクロックとの間のＴＯであり、Ｔ2は、前記ＢＢＵが前記第２の同期メッセージを受信した時間であり、Ｔ2’は、前記ＲＲＵが前記第２の同期メッセージを送信した時間であり、ＴＤUは、前記ＲＲＵから前記ＢＢＵに上流に進む前記第２の同期メッセージの時間遅延、またはレイテンシ遅延もしくは伝搬遅延である
第１の装置。
【請求項２】
前記送信機は、ファイバーを通して前記第１の同期メッセージをさらに送信するようにさらに構成され、前記受信機は、前記ファイバーを通して前記第２の同期メッセージをさらに受信するようにさらに構成された請求項１に記載の第１の装置。
【請求項３】
前記第１の波長および前記第２の波長は、前記ファイバーのゼロ分散波長に関してほぼ対称である請求項２に記載の第１の装置。
【請求項４】
前記第１の波長および前記第２の波長は、同じ波長帯域の中にあり、前記波長帯域は、前記ゼロ分散波長を中心とする請求項３に記載の第１の装置。
【請求項５】
前記第１の波長および前記第２の波長は、前記レイテンシ差の最小化にさらに基づいており、前記プロセッサは、前記最小化に基づいて前記ＴＯをさらに計算するようにさらに構成された請求項１乃至４のいずれか一項に記載の第１の装置。
【請求項６】
第１の同期メッセージを生成するステップと、
第１の波長において前記第１の同期メッセージを送信するステップと、
第２の波長においておよび前記第１の同期メッセージに応答して第２の同期メッセージを受信するステップであって、前記第１の波長および前記第２の波長は、前記第２の同期メッセージと前記第１の同期メッセージとの間のレイテンシ差の低減に基づく、ステップと、
前記低減に基づいてタイミングオフセット（ＴＯ）を計算するステップと
を含み、
第１の装置は、ベースバンドユニット（ＢＢＵ）であり、かつ、第２の装置は、遠隔無線ユニット（ＲＲＵ）であり、
前記ＢＢＵは以下のように前記ＴＯを計算し、
ＴＯ＝［（Ｔ1’−Ｔ1−Ｔ2＋Ｔ2’）−（ＴＤU−ＴＤD）］／２
Ｔ1’は、前記ＲＲＵが前記第１の同期メッセージを受信した時間であり、Ｔ1は、前記ＢＢＵが前記第１の同期メッセージを送信した時間であり、ＴＤDは、前記ＢＢＵから前記ＲＲＵに下流に進む前記第１の同期メッセージの時間遅延、またはレイテンシ遅延もしくは伝搬遅延であり、前記ＴＯは、前記ＢＢＵのクロックと前記ＲＲＵのクロックとの間のＴＯであり、Ｔ2は、前記ＢＢＵが前記第２の同期メッセージを受信した時間であり、Ｔ2’は、前記ＲＲＵが前記第２の同期メッセージを送信した時間であり、ＴＤUは、前記ＲＲＵから前記ＢＢＵに上流に進む前記第２の同期メッセージの時間遅延、またはレイテンシ遅延もしくは伝搬遅延である
方法。
【請求項７】
ファイバーを通して前記第１の同期メッセージをさらに送信するステップと、
前記ファイバーを通して前記第２の同期メッセージを受信するステップと
をさらに含む請求項６に記載の方法。
【請求項８】
前記第１の波長および前記第２の波長は、同じ波長帯域の中にあり、前記波長帯域は、ゼロ分散波長を中心とする請求項７に記載の方法。
【請求項９】
前記第１の波長および前記第２の波長は、前記レイテンシ差の最小化にさらに基づいており、前記方法は、前記最小化に基づいて前記ＴＯをさらに計算するステップをさらに含む請求項６乃至８のいずれか一項に記載の方法。
【請求項１０】
アップストリーム時間遅延とダウンストリーム時間遅延との間のレイテンシ差を低減するためにアップストリーム波長およびダウンストリーム波長を選択するステップであって、前記アップストリーム時間遅延は、第１の装置から第２の装置への送信に関連し、前記ダウンストリーム時間遅延は、前記第２の装置から前記第１の装置への送信に関連する、ステップと、
前記第１の装置に前記アップストリーム波長を割り当てるステップと、
前記第２の装置に前記ダウンストリーム波長を割り当てるステップと
を含み、
前記第１の装置は、ベースバンドユニット（ＢＢＵ）であり、かつ、前記第２の装置は、遠隔無線ユニット（ＲＲＵ）であり、
前記ＢＢＵは以下のようにタイミングオフセット（ＴＯ）を計算し、
ＴＯ＝［（Ｔ1’−Ｔ1−Ｔ2＋Ｔ2’）−（ＴＤU−ＴＤD）］／２
Ｔ1’は、前記ＲＲＵが第１の同期メッセージを受信した時間であり、Ｔ1は、前記ＢＢＵが前記第１の同期メッセージを送信した時間であり、ＴＤDは、前記ＢＢＵから前記ＲＲＵに下流に進む前記第１の同期メッセージの時間遅延、またはレイテンシ遅延もしくは伝搬遅延であり、前記ＴＯは、前記ＢＢＵのクロックと前記ＲＲＵのクロックとの間のＴＯであり、Ｔ2は、前記ＢＢＵが第２の同期メッセージを受信した時間であり、Ｔ2’は、前記ＲＲＵが前記第２の同期メッセージを送信した時間であり、ＴＤUは、前記ＲＲＵから前記ＢＢＵに上流に進む前記第２の同期メッセージの時間遅延、またはレイテンシ遅延もしくは伝搬遅延である
方法。
【請求項１１】
前記第１の装置と前記第２の装置との間の距離に基づいて前記アップストリーム波長および前記ダウンストリーム波長をさらに選択するステップをさらに含む請求項１０に記載の方法。
【請求項１２】
ゼロ分散勾配に基づいて前記アップストリーム波長および前記ダウンストリーム波長をさらに選択するステップをさらに含む請求項１１に記載の方法。
【請求項１３】
前記第１の装置と前記第２の装置とを接続しているファイバーのゼロ分散波長に基づいて前記アップストリーム波長および前記ダウンストリーム波長をさらに選択するステップをさらに含む請求項１２に記載の方法。
【発明の詳細な説明】
【背景技術】
【０００１】
ＲＡＮは、モバイルデバイスとコアネットワークとの間のネットワークである。ＲＡＮでは、遠隔セルサイトに位置するワイヤレス基地局が、デジタルベースバンド処理を実行する。しかしながら、Ｃ−ＲＡＮでは、ＲＲＵがワイヤレス基地局と置き換わり、コアネットワークの近くの中央サイトに位置する集中型ＢＢＵが、デジタルベースバンド処理を実行する。ＲＲＵは、ワイヤレスＲＦ送信および受信のためにアンテナとインターフェースする。ＲＲＵは、限られたデジタルベースバンド処理を要する。
【０００２】
Ｃ−ＲＡＮでは、フロントホールがＢＢＵをＲＲＵに接続する。ＣＰＲＩ、フロントホールのための規格は、ワイヤレスチャネルをデジタル化してデジタル化チャネルを作成し、デジタル化チャネルをアグリゲートしてアグリゲートチャネルを作成し、アグリゲートされたファイバー光チャネルまたはアグリゲートされたマイクロ波チャネルを使用してアグリゲートチャネルを通信することを記述している。アグリゲートされたチャネルは高いデータレートを有し、これは複雑な通信システムを必要とする。
【先行技術文献】
【特許文献】
【０００３】
【特許文献１】米国特許仮出願第６２／３９５，０５８号明細書
【非特許文献】
【０００４】
【非特許文献１】“８０２．１ＣＭ  Ｓｙｎｃ  ｒｅｑｕｉｒｅｍｅｎｔ  ｉｍｐｒｏｖｅｍｅｎｔ，”  Ｃｏｍｍｏｎ  Ｐｕｂｌｉｃ  Ｒａｄｉｏ  Ｉｎｔｅｒｆａｃｅ，  Ｏｃｔｏｂｅｒ  １１，  ２０１６
【発明の概要】
【０００５】
一実施形態では、本開示は、第１の装置であって、第１の同期メッセージを生成するように構成されたプロセッサと、プロセッサに結合され、第１の波長において第２の装置に第１の同期メッセージを送信するように構成された送信機と、プロセッサに結合され、第２の波長においておよび第１の同期メッセージに応答して第２の装置から第２の同期メッセージを受信するように構成された受信機とを備え、第１の波長および第２の波長は、第２の同期メッセージと第１の同期メッセージとの間のレイテンシ差の低減に基づいており、プロセッサは、低減に基づいて第１の装置と第２の装置との間のＴＯを計算するようにさらに構成された、第１の装置を含む。いくつかの実施形態では、送信機は、ファイバーを通して第１の同期メッセージをさらに送信するようにさらに構成され、受信機は、ファイバーを通して第２の同期メッセージをさらに受信するようにさらに構成され、第１の波長および第２の波長は、ファイバーのゼロ分散波長に関してほぼ対称であり、第１の波長は約１，３５７±２ｎｍであり、第２の波長は約１，２７０±１０ｎｍであり、第１の波長は約１，３３１±１０ｎｍであり、第２の波長は約１，２９１±１０ｎｍであり、または第１の波長は約１，３０９．１４±２ｎｍであり、第２の波長は約１，２９５．５６±２ｎｍであり、第１の波長および第２の波長は同じ波長帯域の中にあり、波長帯域はゼロ分散波長を中心とし、第１の装置は、ＯＬＴまたはＢＢＵであり、第２の装置は、ＯＮＵまたはＲＲＵであり、第１の波長および第２の波長は、レイテンシ差の最小化にさらに基づいており、プロセッサは、最小化に基づいてＴＯをさらに計算するようにさらに構成される。
【０００６】
別の実施形態では、本開示は、第１の同期メッセージを生成するステップと、第１の波長において第１の同期メッセージを送信するステップと、第２の波長においておよび第１の同期メッセージに応答して第２の同期メッセージを受信するステップであって、第１の波長および第２の波長は、第２の同期メッセージと第１の同期メッセージとの間のレイテンシ差の低減に基づく、ステップと、低減に基づいてＴＯを計算するステップとを含む方法を含む。いくつかの実施形態では、本方法は、ファイバーを通して第１の同期メッセージをさらに送信するステップと、ファイバーを通して第２の同期メッセージを受信するステップとをさらに含み、第１の波長および第２の波長は、ファイバーのゼロ分散波長に関してほぼ対称であり、第１の波長は約１，３５７±２ｎｍであり、第２の波長は約１，２７０±１０ｎｍであり、第１の波長は約１，３３１±１０ｎｍであり、第２の波長は約１，２９１±１０ｎｍであり、または第１の波長は約１，３０９．１４±２ｎｍであり、第２の波長は約１，２９５．５６±２ｎｍであり、第１の波長および第２の波長は同じ波長帯域の中にあり、波長帯域はゼロ分散波長を中心とし、ＯＬＴまたはＢＢＵが本方法を実行し、本方法は、ＯＮＵまたはＲＲＵに第１の同期メッセージをさらに送信するステップと、ＯＮＵまたはＲＲＵから第２の同期メッセージをさらに受信するステップとをさらに含み、第１の波長および第２の波長は、レイテンシ差の最小化にさらに基づいており、本方法は、最小化に基づいてＴＯをさらに計算するステップをさらに含む。
【０００７】
また別の実施形態では、本開示は、アップストリーム時間遅延とダウンストリーム時間遅延との間のレイテンシ差を低減するためにアップストリーム波長およびダウンストリーム波長を選択するステップであって、アップストリーム時間遅延は、第１の装置から第２の装置への送信に関連し、ダウンストリーム時間遅延は、第２の装置から第１の装置への送信に関連する、ステップと、第１の装置にアップストリーム波長を割り当てるステップと、第２の装置にダウンストリーム波長を割り当てるステップとを含む方法を含む。いくつかの実施形態では、本方法は、第１の装置と第２の装置との間の距離に基づいてアップストリーム波長およびダウンストリーム波長をさらに選択するステップをさらに含み、本方法は、ゼロ分散勾配に基づいてアップストリーム波長およびダウンストリーム波長をさらに選択するステップをさらに含み、本方法は、第１の装置と第２の装置とを接続しているファイバーのゼロ分散波長に基づいてアップストリーム波長およびダウンストリーム波長をさらに選択するステップをさらに含み、本方法は、ゼロ分散波長に関してほぼ対称的になるようにアップストリーム波長およびダウンストリーム波長をさらに選択するステップをさらに含む。
【０００８】
上記の実施形態のいずれも、新しい実施形態を作成するために他の上記の実施形態のいずれかと組み合わされ得る。これらおよび他の特徴は、添付の図面および特許請求の範囲とともにとられる以下の詳細な説明からより明らかに理解されよう。
【図面の簡単な説明】
【０００９】
本開示のより完全な理解のために、同様の参照符号は同様の部分を表す、添付の図面および詳細な説明と共に考慮される、以下の簡単な説明への参照がここで行われる。
【図１】Ｃ−ＲＡＮの概略図である。
【図２】図１のＣ−ＲＡＮの一部分の概略図である。
【図３】図１におけるＢＢＵとＲＲＵとの間の同期を示すメッセージシーケンス図である。
【図４】分散対波長のグラフである。
【図５】本開示の一実施形態によるアップストリーム波長選択およびダウンストリーム波長選択を示すグラフである。
【図６】本開示の別の実施形態によるアップストリーム波長選択およびダウンストリーム波長選択を示すグラフである。
【図７】本開示のまた別の実施形態によるアップストリーム波長選択およびダウンストリーム波長選択を示すグラフである。
【図８】本開示のまた別の実施形態によるアップストリーム波長選択およびダウンストリーム波長選択を示すグラフである。
【図９】本開示の一実施形態によるＰＯＮの概略図である。
【図１０】本開示の別の実施形態によるＰＯＮの概略図である。
【図１１】本開示の一実施形態による同期および通信の方法を示すフローチャートである。
【図１２】本開示の一実施形態による同期の方法を示すフローチャートである。
【図１３】本開示の別の実施形態による同期の方法を示すフローチャートである。
【図１４】本開示の一実施形態による装置の概略図である。
【発明を実施するための形態】
【００１０】
初めに、１つまたは複数の実施形態の例示的な実装形態が以下で提供されるが、開示されるシステムおよび／または方法は、現在知られているまたは存在するかどうかにかかわらず、任意の数の技法を使用して実装され得ることを理解されたい。本開示は、本明細書で図示および説明される例示的な設計および実装を含めて、以下で示される例示的な実装、図面、および技法に決して限定されるべきでなく、添付の特許請求の範囲内で、それらの完全な範囲の均等物とともに変更され得る。
【００１１】
以下の略語および頭文字語が適用される。
ＡＤＣ：アナログデジタル変（換、換器）
ＡＳＩＣ：特定用途向け集積回路
ＢＢＵ：ベースバンドユニット
ＣｏＭＰ：多地点協調
ＣＰＲＩ：共通公衆無線インターフェース
Ｃ−ＲＡＮ：クラウドＲＡＮ
ＣＰ：サイクリックプレフィックス
ＣＰＵ：中央処理ユニット
ＣＷＤＭ：粗いＷＤＭ
ＤＳＰ：デジタル信号処理、デジタル信号プロセッサ
ｅＣＰＲＩ：発展型ＣＰＲＩ
ＥＭＦ：効率的モバイルフロントホール
ＥＯ：電気光学
ＥＰＯＮ：イーサネットＰＯＮ
ＦＥＣ：前方誤り訂正
ＦＦＴ：高速フーリエ変換
ＦＰＧＡ：フィールドプログラマブルゲートアレイ
ＧＰＯＮ：ギガビット対応ＰＯＮ
ＩＥＥＥ：電気電子技術者協会
ｋｍ：キロメートル
ＬＡＮ：ローカルエリアネットワーク
ＭＡＣ：メディアアクセス制御
ＭＩＭＯ：多入力多出力
ＮＧＦＩ：次世代フロントホールインターフェース
ｎｍ：ナノメートル
ｎｓ：ナノ秒
ＯＣ：光サーキュレータ
ＯＤＮ：光配信ネットワーク
ＯＥ：光学電気
ＯＬＴ：光回線終端装置
ＯＮＵ：光ネットワークユニット
ＰＤＣＰ：パケットデータコンバージェンスプロトコル
ＰＯＮ：パッシブ光ネットワーク
ｐｓ：ピコ秒
ＱＡＭ：直交振幅変調
ＲＡＭ：ランダムアクセスメモリ
ＲＡＮ：無線アクセスネットワーク
ＲＦ：無線周波数
ＲＬＣ：無線リンク制御
ＲＯＭ：読取り専用メモリ
ＲＲＵ：遠隔無線ユニット
ＲＸ：受信機ユニット
ＳＲＡＭ：静的ＲＡＭ
ＴＣＡＭ：３値コンテンツアドレス可能メモリ
ＴＤＭ：時分割多重化
ＴＤＭＡ：時分割多元接続
ＴＥ：タイミング誤差
ＴＯ：タイミングオフセット
ＴＸ：送信機ユニット
ＵＥ：ユーザ機器
ＷＤＭ：波長分割多重（器、化）
μｓ：マイクロ秒
５Ｇ：第５世代
【００１２】
モバイルフロントホールは、Ｃ−ＲＡＮの重要なセグメントであり、ＣｏＭＰおよびアドバンストＭＩＭＯなどのワイヤレス技術を可能にする。ＣＰＲＩは、典型的にはモバイルフロントホールのために使用されるが、ＣＰＲＩは効率的な帯域幅でない。ＮＧＦＩおよびｅＣＰＲＩ、ＣＰＲＩに対する最近の代替形態は、ＲＲＵ複雑さ、システム性能、および帯域幅効率の間のトレードオフを提供する。加えて、ＴＤＭ  ＰＯＮは、ＲＲＵがＯＤＮを共有することを可能にすることによって、モバイルフロントホールのコストを低減し得る。
【００１３】
ｅＣＰＲＩは、ＢＢＵとＲＲＵとの間の異なる機能的スプリットに基づく。たとえば、ｅＣＰＲＩは、物理レイヤ内にスプリット点を位置決めする。ｅＣＰＲＩは、より高いフロントホール帯域幅効率およびスループットを提供し、パケットベースのトランスポート技術を可能にし、無線ネットワークを介したソフトウェアアップデートを可能にすることによって拡張可能である。
【００１４】
図１は、Ｃ−ＲＡＮ１００の概略図である。Ｃ−ＲＡＮ１００は、参照により組み込まれる、Ｆｕｔｕｒｅｗｅｉ  Ｔｅｃｈｎｏｌｏｇｉｅｓ，  Ｉｎｃ．によって２０１６年９月１５日に出願され「Ｍｅｔｈｏｄ  ｏｆ  ａ  Ｕｎｉｆｉｅｄ  Ｍｏｂｉｌｅ  ａｎｄ  ＴＤＭ−ＰＯＮ  Ｕｐｌｉｎｋ  ＭＡＣ  Ｓｃｈｅｄｕｌｉｎｇ  ｆｏｒ  Ｍｏｂｉｌｅ  Ｆｒｏｎｔ−Ｈａｕｌ」と題する特許文献１（「ｅＣＰＲＩ−ＰＯＮ」）に記載されている。Ｃ−ＲＡＮ１００は、ユニファイドモバイルスケジューラとともにＮＧＦＩおよびＴＤＭ  ＰＯＮ技術に基づいて高帯域幅効率および低処理レイテンシをモバイルフロントホールに提供する。
【００１５】
Ｃ−ＲＡＮ１００は、ＢＢＵ１０５、スプリッタ１１５、およびＲＲＵ１２０、１４０、１５０を備える。ＢＢＵ１０５はＯＬＴ１１０に関連し、ＲＲＵ１２０はＯＮＵ１２５およびＵＥ１３０に関連し、ＲＲＵ１４０はＯＮＵ１３５およびＵＥ１４５に関連し、ＲＲＵ１５０はＯＮＵ１５５およびＵＥ１６０に関連する。ＯＬＴ１１０およびＯＮＵ１２５は第１のＰＯＮを構成し、ＯＬＴ１１０およびＯＮＵ１３５は第２のＰＯＮを構成し、ＯＬＴ１１０およびＯＮＵ１５５は第３のＰＯＮを構成する。ＵＥ１３０、１４５、１６０はモバイルフォンまたは他のデバイスである。ＵＥ１３０、１４５、１６０からＢＢＵ１０５への通信は以下のように行われる。第１に、ＵＥ１３０、１４５、１６０が、ＲＲＵ１２０、１４０、１５０とワイヤレス通信する。第２に、ＯＮＵ１２５、１３５、１５５が、スプリッタ１１５を含む別個のＰＯＮを介してＯＬＴ１１０と通信する。ＢＢＵ１０５からＵＥ１３０、１４５、１６０への通信は逆の方式で行われる。
【００１６】
図２は、図１のＣ−ＲＡＮ１００の一部分２００の概略図である。部分２００はｅＣＰＲＩ−ＰＯＮにおいても説明されている。部分２００は、ＢＢＵ１０５、ファイバー２３０、およびＲＲＵ１２０を備える。ファイバー２３０は、標準シングルモードファイバーなどの光ファイバーである。これおよび後続の図ではＲＲＵ１２０が示されているが、同じ概念はＲＲＵ１４０、１５０に適用される。部分２００は、ファイバー２３０の物理レイヤにおける、およびＢＢＵ１０５とＲＲＵ１２０との間の機能的スプリットを示す。
【００１７】
ＢＢＵ１０５は、ＰＤＣＰ構成要素２０５、ＲＬＣ構成要素２１０、ＭＡＣ構成要素２１５、ＦＥＣ構成要素２２０、ならびにＱＡＭ等化器およびデコーダ２２５を備える。ＲＲＵ１２０は、リソースブロックデマッパ２３５、ＣＰおよびＦＦＴ構成要素２４０、ＡＤＣ２４５、ならびに受信機２５０を備える。ＲＲＵ１２０からＢＢＵ１０５への通信は以下のように行われる。第１に、ＲＲＵ１２０において、受信機２５０がＵＥからワイヤレス信号を受信し、ＡＤＣ２４５がワイヤレス信号をデジタル信号に変換し、ＣＰおよびＦＦＴ構成要素２４０がＣＰを除去し、ＦＦＴを実行し、リソースブロックデマッパ２３５がリソースブロックデマッピングを実行して処理済み信号を作成し、ＲＲＵ１２０が処理済み信号をＢＢＵ１０５に送信する。第２に、ＢＢＵ１０５において、ＱＡＭ等化器およびデコーダ２２５がＱＡＭ等化および復号を実行し、ＦＥＣ構成要素２２０がＦＥＣを実行し、ＭＡＣ構成要素２１５がＭＡＣ処理を実行し、ＲＬＣ構成要素２１０がＲＬＣ処理を実行し、ＰＤＣＰ構成要素２０５がＰＤＣＰ処理を実施する。ＢＢＵ１０５からＲＲＵ１２０への通信は逆の方式で行われる。
【００１８】
しかしながら、ｅＣＰＲＩ−ＰＯＮが将来の５Ｇまたは５Ｇ様の適用例をサポートするためには、正確な同期が必要とされ得る。このコンテキストでは、同期は、時刻の正確な示度を有するようにｅＣＰＲＩ−ＰＯＮのすべての構成要素中のクロックを設定する処理である。このコンテキストでは、ＴＯは、ＢＢＵ１０５のクロックと、ＲＲＵ１２０、１４０、１５０のクロックとの間のオフセットを指す。ＢＢＵ１０５は、それ自体とＲＲＵ１２０、１４０、１５０との間の同期を提供するためにＴＯを計算する。ＴＥは、ＢＢＵ１０５がＴＯを計算するときに生じる。ＴＥを低減することは、より正確なＴＯ計算を提供する。参照により組み込まれる、非特許文献１（「同期要件改善」）は、クラスＣトラフィックには１．５μｓ未満のＴＥを、クラスＢトラフィックには１１０ｎｓ未満のＴＥを、クラスＡトラフィックには４５ｎｓ未満のＴＥを、およびクラスＡ＋トラフィックには１２．５ｎｓ未満のＴＥを提案する。同期要件改善は、開発中であるＩＥＥＥ８０２．３ｃｍにおける採用のために提案されている。したがって、１２．５ｎｓ未満のＴＥを提供することが望ましい。
【００１９】
本明細書では、ＣＰＲＩ  ＰＯＮにおける同期誤差低減のための実施形態が開示される。ＣＰＲＩ  ＰＯＮは、ＮＧＦＩ  ＰＯＮおよびｅＣＰＲＩ  ＰＯＮを含む。本実施形態は、レイテンシ差を低減または最小化するダウンストリーム波長およびアップストリーム波長を選択することを提供する。ダウンストリーム波長およびアップストリーム波長は、ゼロ分散波長に関して対称的であり得るかまたは同じであり得る。レイテンシ差は典型的には小さいことがあるので、他の手法は、レイテンシ差を低減または最小化しようと努めないことがある。レイテンシ差を低減または最小化することは、ＴＯのより正確な計算を提供する。
【００２０】
図３は、図１におけるＢＢＵ１０５とＲＲＵ１２０との間の同期を示すメッセージシーケンス図３００である。ｘ軸は固定単位で時間を表し、ｙ軸は固定単位で距離を表す。ＢＢＵ１０５は、ＲＲＵ１２０に関連するＴＯ計算を初期化し、したがって、ＲＲＵ１２０が、スケジュールされた時間において、または他の好適な時間においてＣ−ＲＡＮ１００に入ったとき、メッセージシーケンス図３００を初期化する。
【００２１】
時間Ｔ1、ＢＢＵ１０５のローカル時間において、ＢＢＵ１０５は、ＲＲＵ１２０に第１の同期メッセージを送信する。第１の同期メッセージは、ＴＤＭＡ信号であり、ＢＢＵ１０５が第１の同期メッセージを送信した時間として時間Ｔ1を示す第１のタイムスタンプを備える。時間Ｔ1’、ＲＲＵ１２０のローカル時間において、ＲＲＵ１２０は、第１の同期メッセージを受信し、第１のタイムスタンプを抽出し、記録し、ＲＲＵ１２０が第１の同期メッセージを受信した時間としてＴ1’を示す第２のタイムスタンプを生成し、記録する。
【００２２】
時間Ｔ2’、時間Ｔ1’の後のＲＲＵ１２０のローカル時間において、ＲＲＵ１２０は、ＢＢＵ１０５に第２の同期メッセージを送信する。第２の同期メッセージは、バースト信号であり、第１のタイムスタンプと、第２のタイムスタンプと、ＲＲＵ１２０が第２の同期メッセージを送信した時間として時間Ｔ2’を示す第３のタイムスタンプとを備える。時間Ｔ2、ＢＢＵ１０５のローカル時間において、ＢＢＵ１０５は、第２の同期メッセージを受信し、第１のタイムスタンプ、第２のタイムスタンプ、および第３のタイムスタンプを抽出し、記録し、ＢＢＵ１０５が第２の同期メッセージを受信した時間として時間Ｔ2を示す第４のタイムスタンプを生成し、記録する。
【００２３】
第１のタイムスタンプ、第２のタイムスタンプ、第３のタイムスタンプ、および第４のタイムスタンプに基づいて、ＢＢＵ１０５は以下の計算を実行する。 
Ｔ1’−Ｔ1＝ＴＤD−ＴＯ  （１）
Ｔ2−Ｔ2’＝ＴＤU−ＴＯ  （２）
Ｔ1’は、ＲＲＵ１２０が第１の同期メッセージを受信した時間であり、Ｔ1は、ＢＢＵ１０５が第１の同期メッセージを送信した時間であり、ＴＤDは、ＢＢＵ１０５からＲＲＵ１２０に下流に進む第１の同期メッセージの時間遅延、またはレイテンシ遅延もしくは伝搬遅延であり、ＴＯは、ＢＢＵ１０５のクロックとＲＲＵ１２０のクロックとの間のＴＯであり、Ｔ2は、ＢＢＵ１０５が第２のメッセージを受信した時間であり、Ｔ2’は、ＲＲＵ１２０が第２の同期メッセージを送信した時間であり、ＴＤUは、ＲＲＵ１２０からＢＢＵ１０５に上流に進む第２の同期メッセージの時間遅延、またはレイテンシ遅延もしくは伝搬遅延である。したがって、ダウンストリームは、ＢＢＵ１０５からＲＲＵ１２０への方向であり、アップストリームは、ＲＲＵ１２０からＢＢＵ１０５への方向である。連立方程式（１）および（２）を解いて、ＢＢＵ１０５は以下のようにＴＯを計算する。 
ＴＯ＝［（Ｔ1’−Ｔ1−Ｔ2＋Ｔ2’）−（ＴＤU−ＴＤD）］／２  （３）
【００２４】
第１のタイムスタンプ、第２のタイムスタンプ、第３のタイムスタンプ、および第４のタイムスタンプに基づいて、ＢＢＵ１０５は、それぞれ、Ｔ1’、Ｔ1、Ｔ2、およびＴ2’を知る。しかしながら、ＢＢＵ１０５は、第１の同期メッセージと第２の同期メッセージとの間を含む、アップストリームメッセージとダウンストリームメッセージとの間のレイテンシ差である、ＴＤU−ＴＤDを知らないことがある。ＢＢＵ１０５は、典型的にはゼロレイテンシ差の仮定とともにＴＯを計算することがあり、したがって、より小さいレイテンシ差は、ＴＯのより小さい計算誤差を生じる。加えて、ＴＥはレイテンシ差の半分であり、したがって、より小さいレイテンシ差は、より小さいＴＥをも提供する。これを知ると、ＣＲＡＮ１００の事業者は、レイテンシ差を低減するように、したがってＴＯのより正確な計算を提供するようにＣ−ＲＡＮ１００を設計し得る。
【００２５】
第１の同期メッセージおよび第２の同期メッセージは、ＢＢＵ１０５とＲＲＵ１２０との間の同期期間中に発生する。図３中の極右の矢印によって示されるように、第１の同期メッセージおよび第２の同期メッセージの後に、ＢＢＵ１０５およびＲＲＵ１２０は、さらなるメッセージを交換して同期を完了し得る。同期の後に、ＢＢＵ１０５およびＲＲＵ１２０は、他の制御メッセージを交換するかまたはデータメッセージを交換し得る。制御メッセージは、アンテナの信号電力レベルを制御することなどによってＣ−ＲＡＮ１００の構成要素を制御するメッセージを含み得る。データメッセージは、ＲＲＵ１２０に関連するユーザが別のユーザまたはエンドポイントと通信することを望むデータを含む。
【００２６】
図４は、分散対波長のグラフ４００である。ｘ軸は固定単位で波長を表し、ｙ軸は固定単位で分散を表す。グラフ４００は、アップストリーム波長λu、ファイバー２３０のゼロ分散波長λ0、ダウンストリーム波長λd、およびゼロ分散勾配Ｓ0を示す。Ｓ0は、ゼロ分散波長の近くの波長に関する分散の変化として定義される。λ0は１，３０２ｎｍと１，３２２ｎｍとの間にあり、Ｓ0は０．０８９ｐｓ／（ｎｍ2・ｋｍ）以下である。レイテンシ差は以下のように計算される。
（ＴＤU−ＴＤD）＝Ｌ・Ｓ0・［（λd−λ0）2−（λu−λ0）2］／２  （４）
Ｌは、キロメートルでのファイバー２３０の距離である。式（４）を見ると、λdおよびλuをλ0に関して対称にすること、またはλdおよびλuを等しくすることのいずれかは、レイテンシ差を低減または最小化し、したがって、ＴＯの計算誤差を低減または最小化することになることがわかる。λuおよびλdを選択するための４つの実施形態について以下で説明される。
【００２７】
図５は、本開示の一実施形態によるアップストリーム波長選択およびダウンストリーム波長選択を示すグラフ５００である。ｘ軸は固定単位で波長を表し、ｙ軸は固定単位で分散を表す。典型的なＥＰＯＮまたはＧＰＯＮλuは、グラフ５００に示されているように１，２７０±１０ｎｍであり得る。λ0に関して対称的なλdは１，３５７±２ｎｍである。その場合、最悪の場合のレイテンシ差は、
（ＴＤU−ＴＤD）＝２０・０．０８９・［（１，３５９−１，３０２）2−（１，２８０−１，３０２）2］／２＝２．４６ｎｓ
（ＴＤU−ＴＤD）＝２０・０．０８９・［（１，３５５−１，３２２）2−（１，２６０−１，３２２）2］／２＝−２．４５ｎｓ
したがって、ＴＯの計算誤差とＴＥの両方は±１．２５ｎｓ以内であり、これはレイテンシ差の約半分である。ＴＥは、１２．５ｎｓのＴＥ最大値の約１０％にすぎない。上記の計算は、Ｌについて２０ｋｍの典型的な値を仮定している。
【００２８】
図６は、本開示の別の実施形態によるアップストリーム波長選択およびダウンストリーム波長選択を示すグラフ６００である。ｘ軸は固定単位で波長を表し、ｙ軸は固定単位で分散を表す。グラフ６００に示されているように、典型的なＣＷＤＭλuは１，２９１±１０ｎｍであることがあり、典型的なＣＷＤＭλdは１，３３１±１０ｎｍであることがある。その場合、最悪の場合のレイテンシ差は、
（ＴＤU−ＴＤD）＝２０・０．０８９・［（１，３４１−１，３０２）2−（１，２９１−１，３０２）2］／２＝１．２５ｎｓ
（ＴＤU−ＴＤD）＝２０・０．０８９・［（１，３２１−１，３２２）2−（１，２８１−１，３２２）2］／２＝−１．５ｎｓ
したがって、ＴＯの計算誤差は±０．７５ｎｓ内であり、これは１２．５ｎｓのＴＥ最大値の６％未満である。
【００２９】
図７は、本開示のまた別の実施形態によるアップストリーム波長選択およびダウンストリーム波長選択を示すグラフ７００である。ｘ軸は固定単位で波長を表し、ｙ軸は固定単位で分散を表す。第１のチャネルのための典型的なＬＡＮ  ＷＤＭλuは１，２９５．５６±２ｎｍであることがあり、第４のチャネルのための典型的なＬＡＮ  ＷＤＭλdは１，３０９．１４ｎｍ±２ｎｍであることがある。その場合、最悪の場合のレイテンシ差は、
（ＴＤU−ＴＤD）＝２０・０．０８９・［（１，３１１．１４−１，３２２）2−（１，２９３．５６−１，３２２）2］／２＝−０．６１５ｎｓ
したがって、ＴＯの計算誤差は約±０．３１ｎｓであり、これは１２．５ｎｓのＴＥ最大値の２．５％未満である。
【００３０】
図８は、本開示のまた別の実施形態によるアップストリーム波長選択およびダウンストリーム波長選択を示すグラフ８００である。ｘ軸は固定単位で波長を表し、ｙ軸は固定単位で分散を表す。第１のチャネルのための典型的なＬＡＮ  ＷＤＭλuは１，２９５．５６±２ｎｍであることがあり、第１のチャネルのための典型的なＬＡＮ  ＷＤＭλdも１，２９５．５６ｎｍ±２ｎｍであることがある。その場合、最悪の場合のレイテンシ差は、
（ＴＤU−ＴＤD）＝２０・０．０８９・［（１，２９３．５６−１，３２２）2−（１，２９７．５６−１，３２２）2］／２＝±０．１８８ｎｓ
したがって、ＴＯの計算誤差は約±０．１ｎｓであり、これは１２．５ｎｓのＴＥ最大値の１％未満である。
【００３１】
λuとλdが同じであるので、ＢＢＵ１０５およびＲＲＵ１２０におけるＯＣは、アップストリームメッセージからダウンストリームメッセージを分離し得る。λuおよびλdは、λ0を中心とする波長帯域の中にあり得る。波長帯域の帯域幅が十分に小さいとき、レイテンシ差によるＴＥはＴＥ要件を満たし得る。
【００３２】
図９は、本開示の一実施形態によるＰＯＮ９００の概略図である。ＰＯＮ９００は、グラフ５００、６００、７００に示されている波長選択を実装する。ＰＯＮ９００は、ＯＬＴ１１０、スプリッタ１１５、およびＯＮＵ１２５〜１５５を備える。ＯＬＴ１１０は、送信機９１０、ＷＤＭ９２０、および受信機９３０を備える。ＯＮＵ１２５は、ＷＤＭ９４０、受信機９５０、および送信機９６０を備える。ＯＮＵ１５５は、ＷＤＭ９７０、受信機９８０、および送信機９９０を備える。ＯＬＴ１１０は、パケットをラベリングし、ＴＤＭを使用してＯＮＵ１２５〜１５５に下流にパケットを送信する。ＯＮＵ１２５〜１５５は、次いで、パケットをフィルタ処理する。ＯＮＵ１２５〜１５５は、衝突を回避するためにＴＤＭＡを使用してＯＬＴ１１０にパケットを送信する。ダウンストリームパケットとアップストリームパケットは異なる波長を使用する。
【００３３】
図１０は、本開示の別の実施形態によるＰＯＮ１０００の概略図である。ＰＯＮ１０００は、グラフ８００に示されている波長選択を実装する。ＰＯＮ１０００は、図９のＰＯＮ９００と同様である。特に、ＰＯＮ１０００は、ＯＬＴ１１０、スプリッタ１１５、およびＯＮＵ１２５〜１５５を備える。ＯＬＴ１１０は送信機１０１０および受信機１０３０を備え、ＯＮＵ１２５は受信機１０５０および送信機１０６０を備え、ＯＮＵ１５５は受信機１０８０および送信機１０９０を備える。しかしながら、ＷＤＭ９２０、９４０、９７０をそれぞれ備える、図９のＯＬＴ１１０およびＯＮＵ１２５〜１５５とは異なり、図１０のＯＬＴ１１０およびＯＮＵ１２５〜１５５は、ＯＣ１０２０、１０４０、１０７０をそれぞれ備える。ＯＣ１０２０、１０４０、１０７０は、ダウンストリームパケットおよびアップストリームパケットが、同じ波長を使用することを可能にする。
【００３４】
図１１は、本開示の一実施形態による同期および通信の方法１１００を示すフローチャートである。ＢＢＵ１０５が方法１１００を実行する。ステップ１１１０において、Ｌ、Ｓ0、およびλ0が判定される。たとえば、ＢＢＵ１０５は、上記で説明されたようにＬ、Ｓ0、およびλ0を判定する。ステップ１１２０において、ＴＤU−ＴＤDを低減または最小化する方法でλdおよびλuが選択される。たとえば、ＢＢＵ１０５は、図４〜図８に関して説明されたようにλdおよびλuを選択する。代替として、ＴＤU−ＴＤDを低減する方法でλdおよびλuが選択される。ステップ１１３０において、λdおよびλuが割り当てられる。たとえば、ＢＢＵ１０５は、ＢＢＵ１０５にλdを、およびＲＲＵ１２０にλuを割り当てる。ステップ１１４０において、ＴＤU−ＴＤが計算される。代替として、ステップ１１２０においてＴＤU−ＴＤDを低減または最小化する方法でλdおよびλuが選択されるので、ＴＤU−ＴＤは、０であるかまたはさもなければ無視できると仮定され得る。
【００３５】
ステップ１１５０において、同期メッセージが交換される。たとえば、ＢＢＵ１０５は、図３のメッセージシーケンス図３００に示されているようにＲＲＵ１２０とメッセージを交換する。ステップ１１５０を実行することによって、ＢＢＵ１０５は、Ｔ1’、Ｔ1、Ｔ2、およびＴ2’を判定する。ステップ１１６０において、Ｔ1’、Ｔ1、Ｔ2、Ｔ2’、およびＴＤU−ＴＤDを使用してＴＯが計算される。たとえば、ＢＢＵ１０５は、式（３）を使用してＴＯを計算する。代替として、ＴＤU−ＴＤが０であるかまたはさもなければ無視できると仮定される場合、ＴＯは、Ｔ1’、Ｔ1、Ｔ2、Ｔ2’を使用して計算される。ステップ１１７０において、同期が完了される。たとえば、ＴＯを知ると、ＢＢＵ１０５は、ＲＲＵ１２０にそれのクロックを調整するように命令する。最後に、ステップ１１８０において、他の制御メッセージまたはデータメッセージが交換される。
【００３６】
ＢＢＵ１０５が方法１１００を実行するものとして説明されているが、Ｃ−ＲＡＮ１００の事業者、ＯＬＴ１１０などのＣ−ＲＡＮ１００中の別のデバイス、または別のエンティティが、方法１１００におけるステップの一部または全部を実行し得る。たとえば、事業者が、λdおよびλuを判定し、割り当てることがあり、事業者は、割当てを実装するようにＢＢＵ１０５に命令してよい。図４〜図８に関してλdおよびλuの特定の値が与えられているが、事業者は、式（４）を使用してＴＤU−ＴＤを低減もしくは最小化するかまたはそれ以外の任意の方法でλdおよびλuを判定し得る。
【００３７】
図１２は、本開示の一実施形態による同期の方法１２００を示すフローチャートである。ＢＢＵ１０５が方法１２００を実行する。ステップ１２１０において、第１の同期メッセージが生成される。たとえば、ＢＢＵ１０５は、図３のメッセージシーケンス図３００における第１の同期メッセージを生成する。ステップ１２２０において、第１の波長において第１の同期メッセージが送信される。たとえば、ＢＢＵ１０５は、波長λdにおいてＲＲＵ１２０に第１の同期メッセージを送信する。
【００３８】
ステップ１２３０において、第２の波長においておよび第１の同期メッセージに応答して第２の同期メッセージが受信される。たとえば、ＢＢＵ１０５は、波長λuにおいて第２の同期メッセージを受信する。第１の波長および第２の波長は、たとえば式（４）にしたがってレイテンシ差を低減または最小化することによる、第２の同期メッセージと第１の同期メッセージとの間のレイテンシ差の低減に基づく。
【００３９】
最後に、ステップ１２４０において、低減に基づいてＴＯが計算される。たとえば、ＢＢＵ１０５は、ステップ１２２０において判定された第１の波長、ステップ１２３０において判定された第２の波長、および式（３）を使用してＴＯを計算する。ＢＢＵ１０５が方法１２００を実行するものとして説明されているが、Ｃ−ＲＡＮ１００の事業者、ＯＬＴ１１０などのＣ−ＲＡＮ１００中の別のデバイス、または別のエンティティが、方法１２００におけるステップの一部または全部を実行し得る。
【００４０】
図１３は、本開示の別の実施形態による同期の方法１３００を示すフローチャートである。ＢＢＵ１０５が方法１３００を実行する。ステップ１３１０において、アップストリーム時間遅延とダウンストリーム時間遅延との間のレイテンシ差を低減するためにアップストリーム波長およびダウンストリーム波長が選択される。たとえば、ＢＢＵ１０５は、式（４）に従ってレイテンシ差を低減するためにλuおよびλdを選択する。アップストリーム時間遅延は、第１の装置から第２の装置への、たとえばＲＲＵ１２０からＢＢＵ１０５への送信に関連し、ダウンストリーム時間遅延は、第２の装置から第１の装置への、たとえばＢＢＵ１０５からＲＲＵ１２０への送信に関連する。
【００４１】
ステップ１３２０において、第１の装置にアップストリーム波長が割り当てられる。たとえば、ＢＢＵ１０５は、ＲＲＵ１２０からＢＢＵ１０５へのアップストリーム送信のためにＲＲＵ１２０にλuを割り当てる。最後に、ステップ１３３０において、第２の装置にダウンストリーム波長が割り当てられる。たとえば、ＢＢＵ１０５は、ＢＢＵ１０５からＲＲＵ１２０へのダウンストリーム送信のためにそれ自体にλdを割り当てる。ＢＢＵ１０５が方法１３００を実行するものとして説明されているが、Ｃ−ＲＡＮ１００の事業者、ＯＬＴ１１０などのＣ−ＲＡＮ１００中の別のデバイス、または別のエンティティが、方法１２００におけるステップの一部または全部を実行し得る。
【００４２】
図１４は、本開示の一実施形態による装置１４００の概略図である。装置１４００は、開示される実施形態を実装し得る。装置１４００は、入口ポート１４１０と、データを受信するために入口ポート１４１０に結合されたＲＸ１４２０と、データを処理するためにＲＸ１４２０に結合されたプロセッサ、論理ユニット、またはＣＰＵ１４３０と、プロセッサ１４３０に結合されたＴＸ１４４０と、データを送信するためにＴＸ１４４０に結合された出口ポート１４５０と、データを記憶するためにプロセッサ１４３０に結合されたメモリ１４６０とを備える。装置１４００はまた、光信号または電気信号の進入または退出のために、入口ポート１４１０、ＲＸ１４２０、ＴＸ１４４０、および出口ポート１４５０に結合されたＯＥ構成要素およびＥＯ構成要素を備え得る。
【００４３】
プロセッサ１４３０は、ハードウェア、ミドルウェア、ファームウェア、またはソフトウェアの任意の好適な組合せである。プロセッサ１４３０は、１つまたは複数のＣＰＵチップ、コア、ＦＰＧＡ、ＡＳＩＣ、またはＤＳＰの任意の組合せを備える。プロセッサ１４３０は、入口ポート１４１０、ＲＸ１４２０、ＴＸ１４４０、出口ポート１４５０、およびメモリ１４６０と通信する。プロセッサ１４３０は、開示される実施形態を実装する同期構成要素１４７０を備える。プロセッサ１４３０はまた、装置１４００のローカル時間を保持するクロック１４８０を備える。したがって、同期構成要素１４７０およびクロック１４８０の含めることは、装置１４００の機能の大幅な改善を提供し、異なる状態への装置１４００の転換を奏する。代替として、メモリ１４６０は、同期構成要素１４７０およびクロック１４８０を命令として記憶し、プロセッサ１４３０はそれらの命令を実行する。
【００４４】
メモリ１４６０は、１つまたは複数のディスク、テープドライブ、またはソリッドステートドライブの任意の組合せを備える。装置１４００は、装置１４００が実行のためのプログラムを選択したときにそれらのプログラムを記憶し、それらのプログラムの実行中に装置１４００が読み取る命令およびデータを記憶するためのオーバーフローデータ記憶構成要素としてメモリ１４６０を使用し得る。メモリ１４６０は、揮発性または不揮発性であってよく、ＲＯＭ、ＲＡＭ、ＴＣＡＭ、またはＳＲＡＭの任意の組合せであり得る。
【００４５】
例示的な実施形態では、装置１４００は、第１の同期メッセージを生成する第１の同期メッセージ生成モジュールと、第１の波長において第１の同期メッセージを送信する送信モジュールと、第２の波長においておよび第１の同期メッセージに応答して第２の同期メッセージモジュールを受信する受信モジュールであって、第１の波長および第２の波長は、第２の同期メッセージと第１の同期メッセージとの間のレイテンシ差の低減に基づく、受信モジュールと、低減に基づいてタイミングオフセットＴＯを計算するタイミングオフセットモジュールとを含む。いくつかの実施形態では、装置１４００は、実施形態で説明されるステップのいずれか１つまたは組合せを実行するための他のまたは追加のモジュールを含み得る。さらに、本方法の追加または代替の実施形態または態様のいずれも、図のいずれかに示されているかまたは特許請求の範囲のいずれかに記載されているような、同様のモジュールをも含むことが企図されている。
【００４６】
例示的な実施形態では、装置１４００は、アップストリーム時間遅延とダウンストリーム時間遅延との間のレイテンシ差を低減するためにアップストリーム波長およびダウンストリーム波長を選択する波長選択モジュールであって、アップストリーム時間遅延は、第１の装置から第２の装置への送信に関連し、ダウンストリーム時間遅延は、第２の装置から第１の装置への送信に関連する、波長選択モジュールと、第１の装置にアップストリーム波長を割り当てるアップストリーム波長割当てモジュールと、第２の装置にダウンストリーム波長を割り当てるダウンストリーム波長割当てモジュールとを含む。いくつかの実施形態では、装置１４００は、実施形態で説明されるステップのいずれか１つまたは組合せを実行するための他のまたは追加のモジュールを含み得る。さらに、本方法の追加または代替の実施形態または態様のいずれも、図のいずれかに示されているかまたは特許請求の範囲のいずれかに記載されているような、同様のモジュールをも含むことが企図されている。
【００４７】
第１の装置は、第１の同期メッセージを生成するように構成された処理要素と、処理要素に結合され、第１の波長において第２の装置に第１の同期メッセージを送信するように構成された送信要素と、処理要素に結合され、第２の波長においておよび第１の同期メッセージに応答して第２の装置から第２の同期メッセージを受信するように構成された受信要素とを備え、第１の波長および第２の波長は、第２の同期メッセージと第１の同期メッセージとの間のレイテンシ差の低減に基づいており、処理要素は、低減に基づいて第１の装置と第２の装置との間のＴＯを計算するようにさらに構成される。
【００４８】
「約」、「ほぼ」という用語、およびそれらの派生語は、別段に明記されていない限り、後続の数の±１０％を含む範囲を意味する。本開示ではいくつかの実施形態が提供されたが、開示されるシステムおよび方法は、本開示の趣旨または範囲から逸脱することなく多くの他の特定の形態で具現化され得ることを理解されたい。本例は、限定的ではなく例示的であると見なされるべきであり、それの意図は、本明細書で与えられる詳細に限定されるべきでない。たとえば、様々な要素または構成要素は、組み合わされるかもしくは別のシステムに組み込まれてよく、またはいくつかの特徴は、省略されるかもしくは実装されなくてよい。
【００４９】
加えて、様々な実施形態において個別または別個として説明および図示される技法、システム、サブシステム、および方法は、本開示の範囲から逸脱することなく組み合わされるか、または他のシステム、構成要素、技法、もしくは方法と統合されてよい。互いに結合されているか、または直接結合されているか、または通信しているものとして図示または説明される他の項目は、電気的にであるか、機械的にであるか、またはそれ以外であるかにかかわらず、何らかのインターフェース、デバイス、または中間構成要素を通して間接的に結合されているかまたは通信していることがある。変更、置換、および改変の他の例は、当業者によって確認可能であり、本明細書で開示される趣旨および範囲から逸脱することなく行われてよい。
【図１】
0006858262.tif 000002
【図２】
0006858262.tif 000003
【図３】
0006858262.tif 000004
【図４】
0006858262.tif 000005
【図５】
0006858262.tif 000006
【図６】
0006858262.tif 000007
【図７】
0006858262.tif 000008
【図８】
0006858262.tif 000009
【図９】
0006858262.tif 000010
【図１０】
0006858262.tif 000011
【図１１】
0006858262.tif 000012
【図１２】
0006858262.tif 000013
【図１３】
0006858262.tif 000014
【図１４】
0006858262.tif 000015